(57)【要約】【課題】従来の巻尺や伸縮しない物差しでは測りづらい場所における２点間の距離を測るのに適した伸縮自在の物差しであり、測定した距離を簡単、明瞭、正確に読み取ることのできる物差しを提供する。【解決手段】細長い鞘状の袋体１と、該袋体１の中にスライド可能に挿入されて、該袋体１の一方の端６から長手方向に伸縮自在に突出する平板２から構成され、該袋体１及び該平板２の表面の長手方向にそれぞれ外側から内側に向かって数値が大きくなる目盛り３、４を設けて成る伸縮自在物差しであって、該平板２の目盛４の最初の数値は該平板２が挿入された該袋体の端６の目盛３の最後の数値と同じにすることにより、測定距離を簡単、明瞭、正確に読み取ることができるようにした。【選択図】　　図１
2004045127.tif 000002
【特許請求の範囲】
【請求項１】
細長い鞘状の袋体（１）と、該袋体（１）の中にスライド可能に挿入されて、該袋体（１）の一方の端（６）から長手方向に伸縮自在に突出する平板（２）から構成され、該袋体（１）及び該平板（２）の表面の長手方向にそれぞれ外側から内側に向かって数値が大きくなる目盛り（３、４）を設けて成る伸縮自在物差しであって、
該平板（２）の目盛（４）の最初の数値は該平板（２）が挿入された該袋体の端（６）の目盛（３）の最後の数値と同じであることを特徴とする伸縮自在物差し。
【請求項２】
上記袋体（１）及び上記平板（２）がフレキシブルな材質であることを特徴とする請求項１記載の伸縮自在物差し。
【発明の詳細な説明】
【０００１】
【発明の属する技術分野】
本発明は、従来の巻尺や伸縮しない物差しでは測定しづらい場所における２点間の距離を測定するのに適した物差しに関するものである。
【０００２】
【従来の技術】
一般に家屋内等における２点間の距離を測定するには、巻尺または物差しが用いられる。巻尺はコンパクトであるにも拘わらず、長い距離を測定できる点で優れるが、硬直性に欠けるため一人で測定できる距離は両手の幅に限定される。また、測定における扱い易さ、正確性からすると１本の平板からなる物差しが便利であるが、収納性及び可搬性を考慮すれば、その長さには自ずと限界がある。
【０００３】
【発明が解決しようとする課題】
例えば、家屋内における窓のサッシの上部から天井までの距離を測定する場合に、従来の巻き尺では、下から天井に向けて測定しようと思っても巻尺が途中自重で曲がってしまうため、脚立や梯子を利用して上に登り、巻尺の端部を天井に固定させて測定することが必要となり、この場合でも一人で作業するのは困難を伴なうという問題があった。更に、巻尺は壁や床に沿って計測するには適しているが、向かい合った壁と壁との空間を横切る２点間の距離を測定する場合等は、硬直性に欠けるため正確な測定が不可能であるという問題があった。
【０００４】
また、従来の伸縮しない一本の平板からなる物差しの場合、長さが足りない時は測定する距離を分割して図るか、又は２本の物差しを重ねて使用するしかなかった。
【０００５】
このように測定距離を分割して測定する場合、２度手間となるだけでなく分割した各々の距離の和を出さなければならず測定に誤差を生じる可能性が高くなる。
【０００６】
また、２本の物差しを重ねて使用する場合も扱いが容易でないばかりか、１本目の物差しの長さと２本目の物差しの距離との和を出さなければならずやはり測定に誤差を生じる可能性がある。さらに、物差しは一般に剛性のある竹、プラスチック、金属などの材質を使用しているため曲面等の測定には不向きである。
【０００７】
本発明は、上記問題点に鑑みなされたもので、その目的とするところは、上記したように、従来の巻尺や伸縮しない物差しでは測りづらい場所における２点間の距離を測るのに適した伸縮自在の物差しであり、測定した距離を簡単、明瞭、正確に読み取ることのできる物差しを提供することにある。
【０００８】
本発明の他の目的は適度にフレキシブルな材質からなる伸縮自在物差しを提供することにある。
【０００９】
【課題を解決するための手段】
上記の目的を有効に達成するために、本発明に係る伸縮自在物差しは、図１に示したように、細長い鞘状の袋体１と、該袋体１の中にスライド可能に挿入されて、該袋体１の一方の端６から長手方向に伸縮自在に突出する平板２から構成され、該袋体１及び該平板２の表面の長手方向にそれぞれ外側から内側に向かって数値が大きくなる目盛り３、４を設けて成る伸縮自在物差しであって、該平板２の目盛４の最初の数値は該平板２が挿入された該袋体の端６の目盛３の最後の数値と同じであることを特徴とするものである。
【００１０】
また、本発明に係る伸縮自在物差しの該袋体１及び該平板２の材質は、曲面上の２点間も測定できるように、適度にフレキシブルな材質、例えばＰＥＴ（ポリエチレンテレフタレート）等が望ましい。さらに、該袋体１及び該平板２の嵌合の度合いは該平板２をスライドさせる時適度な抵抗をもたせる程度のものであることが望ましい。
【００１１】
【発明の実施の形態】
以下、本発明の実施の形態を図に基づいて説明する。図１は本発明に係る伸縮自在物差しの一例を示す斜視図、図２は本発明に係る伸縮自在物差しの使用状態を示す平面図、図３は本発明に係る伸縮自在物差しの他の使用状態を示す正面図である。
本発明に係る伸縮自在物差しは、図１に示したように、細長い鞘状の袋体１と、該袋体１の中にスライド可能に挿入されて、該袋体１の一方の端６から長手方向に伸縮自在に突出する平板２から構成され、該袋体１及び該平板２の表面の長手方向にそれぞれ外側から内側に向かって数値が大きくなる目盛り３、４を設けて成る伸縮自在物差しであって、該平板２の目盛４の最初の数値は該平板２が挿入された該袋体の端６の目盛３の最後の数値と同じになっている。
【００１２】
袋体１の表面には目盛３が、平板２の表面には目盛４が印刷又は刻印されている。袋体１の目盛り３は外側の端部５を０ｃｍとして内側へ向かって数値が大きくなり、最後の数値が本実施例では他端部６において７０ｃｍとなるように印刷又は刻印されている。一方袋体１の他端部６側から挿入されている平板２は、外側の端部７における目盛４の最初の数値が、該袋体１の端部６の目盛３における数値と同じ７０ｃｍであり、内側へ向かって数値が大きくなるように印刷又は刻印されている。本発明の伸縮自在物差しはこのように構成されているため、物差し全体の長さは常に袋体１の長さと引き出され平板２の長さの合計であり、この合計は袋体１の端部６の部分において示された平板２の目盛４の数値である。
【００１３】
図２は向かい合った壁の双方にあるＡ点とＢ点の距離を実際に測定している本発明による伸縮自在物差しの平面図であるが、図２に示すように、袋体１から平板２が引き出され、それぞれの両端部５、７が壁面の各々Ａ点、Ｂ点に当接した状態では、袋体１の端部６における平板２の目盛４の数値１２０ｃｍが物差し全体の長さ、すなわち測定された距離になる。よって、測定者は、瞬時にして、精度の高い測定を行うことができる。
【００１４】
図３は曲面８を有する壁９上の２点、Ｃ点とＤ点の距離を実際に測定している本発明による伸縮自在物差しの正面図である。本実施例において、袋体１及び平板２の材質は適度にフレキシブルな材質であるＰＥＴを使用しているために、測定者は曲面８に沿って物差しを撓らせることにより、ＣＤ間の距離を瞬時にかつ正確に測定することができる。
【００１５】
【発明の効果】
本発明は以上のような構造であるため、従来の巻尺や伸縮しない物差しでは測りづらい場所における２点間の距離を測り、かつ、測定距離を簡単、明瞭、正確に読み取ることができる。よって、家屋内における窓のサッシの上部から天井までの距離を測ろうとした場合でも、測定者は、適当な長さに伸ばした物差しの両端部を窓のサッシの上部と天井に当接させる位置に合わせれば、梯子や脚立を用意することなく、袋体１の端部６における平板２の目盛４の数値部分の目盛りから容易かつ瞬時に両部位間の距離を読み取ることができる。さらに、袋体１及び平板２の材質に適度にフレキシブルな材質を使用した場合は曲面を有する２点間の距離も瞬時にかつ正確に測定することができる。
【図面の簡単な説明】
【図１】本発明に係る伸縮自在物差し一実施例を示す一部切り欠き斜視図。
【図２】本発明に係る伸縮自在物差しの使用状態を示す平面図。
【図３】本発明に係る伸縮自在物差しの他の使用状態を示す正面図である。
【符号の説明】
１　　袋体
２　　　平板
３，４　　目盛
６　　　袋体の端部
【図１】
2004045127.tif 000003
【図２】
2004045127.tif 000004
【図３】
2004045127.tif 000005